(57)【要約】【課題】短時間で、より効果的にリクラゼーションできるようにする。【解決手段】浴槽用の気泡装置は、浴槽４内に気泡を噴射する気泡噴射部１と、気泡噴射部１に空気を供給する気泡供給部２と、気泡供給部２が気泡噴射部１に供給する空気量を制御する制御部３とを備える。制御部３は、気泡供給部２から気泡噴射部１に供給する空気量を時間とともに変更して、気泡噴射部１が浴槽４内に噴射する気泡量を変更するパターンを記憶する記憶部を備える。制御部３は、記憶部に記憶している特定の繰返パターンで、気泡噴射部１が浴槽４内に噴射する気泡噴射状態における気泡量を繰り返し変更する。制御部３は、ひとつの繰返パターンにおいては、複数回の気泡噴射状態で気泡を噴射すると共に、複数回の気泡噴射状態は、次第に気泡の噴射量を少なくして、最初に最大量の気泡を噴射して、最後には最小量の気泡を噴射するように制御している。【選択図】図６
2005124935.tif 000002
【特許請求の範囲】
【請求項１】
浴槽(4)内に気泡を噴射する気泡噴射部(1)と、この気泡噴射部(1)に連結されて気泡噴射部(1)に空気を供給する気泡供給部(2)と、この気泡供給部(2)が気泡噴射部(1)に供給する空気量を制御する制御部(3)とを備え、
制御部(3)が、気泡供給部(2)から気泡噴射部(1)に供給する空気量を時間とともに変更して、気泡噴射部(1)が浴槽(4)内に噴射する気泡量を変更するパターンを記憶する記憶部を備えており、制御部(3)は、記憶部に記憶している特定の繰返パターンで、気泡噴射部(1)が浴槽(4)内に噴射する気泡噴射状態における気泡量を繰り返し変更しており、
ひとつの繰返パターンにおいては、複数回の気泡噴射状態で気泡を噴射すると共に、ひとつの繰返パターンにおける複数回の気泡噴射状態は、次第に気泡の噴射量を少なくして、最初に最大量の気泡を噴射して、最後には最小量の気泡を噴射するように制御することを特徴とする浴槽用の気泡装置。
【請求項２】
ひとつの繰返パターンにおいて、複数回の気泡噴射状態の間に中間状態を設けており、この中間状態を、気泡の噴射を一時的に停止する停止状態、あるいは、気泡の噴射を前後の気泡噴射状態よりも少なくする弱噴射状態として、気泡噴射状態と中間状態とを交互に繰り返してなる請求項１に記載される浴槽用の気泡装置。
【請求項３】
中間状態が気泡噴射状態よりも短時間である請求項２に記載される浴槽用の気泡装置。
【請求項４】
ひとつの繰返パターンにおける複数回の気泡噴射状態が、気泡を最も多く噴射する最大噴射状態と、最大噴射状態よりも少量の気泡を噴射する中間噴射状態と、この中間噴射状態よりもさらに少量の気泡を噴射する最小噴射状態とからなる請求項１または２に記載される浴槽用の気泡装置。
【請求項５】
複数回の気泡噴射状態からなるひとつの繰返パターンの時間が、２〜５分である請求項１ないし４のいずれかに記載される浴槽用の気泡装置。
【請求項６】
ひとつの気泡噴射状態の時間が、３０秒〜１．５分である請求項１ないし４のいずれかに記載される浴槽用の気泡装置。
【請求項７】
ひとつの繰返パターンが、３回以上の気泡噴射状態を含む請求項１ないし３のいずれかに記載される浴槽用の気泡装置。
【請求項８】
繰返パターンの間に、気泡の噴射を停止する休止状態を設けており、この休止状態を中間状態よりも短時間とし、あるいは長時間としている請求項２に記載される浴槽用の気泡装置。
【請求項９】
気泡供給部(2)が、気泡噴射部(1)に空気を供給するファン(6)と、このファン(6)を回転させるモーター(7)とを備えており、制御部(3)がファン(6)の回転速度を制御して、気泡噴射部(1)に供給する空気量を制御する請求項１に記載される浴槽用の気泡装置。
【請求項１０】
モーター(7)が反発モーターである請求項９に記載される浴槽用の気泡装置。
【請求項１１】
気泡供給部(2)が、気泡噴射部(1)に加圧された温水を供給するポンプを備え、気泡噴射部(1)が、ポンプで供給される加圧水の流路に連結されて空気を吸入する空気管とを備える請求項１に記載される浴槽用の気泡装置。
【発明の詳細な説明】
【技術分野】
【０００１】
本発明は、浴槽内に気泡を噴射する装置に関する。
【背景技術】
【０００２】
浴槽内に気泡を噴射する装置は、気泡が弾けるときに超音波を発生し、これが皮膚を刺激するので快適に入浴できる。気泡装置は、浴槽の底に気泡を噴射する多孔板を設け、この多孔板に加圧された空気を供給するタイプ（特許文献１参照）と、浴槽内の温水をポンプで吸入して浴槽内に噴射するときに空気を混入して温水と一緒に噴射するタイプ（特許文献２参照）とがある。
【特許文献１】実開平４−１２０７４１号公報
【特許文献２】特開平３−１１８０６６号公報
【発明の開示】
【発明が解決しようとする課題】
【０００３】
これらの公報に記載される気泡装置は、発生する気泡で皮膚を刺激して快適に入浴できる。しかしながらこれらの気泡装置は、いずれも一定の強さで連続して気泡を噴射するので、入浴者に対して、常に一定の単調な刺激を与える状態となり、短時間で十分なリクラゼーション効果を得ることができない。このため、十分なリクラゼーション効果を得るためには、長時間にわたって気泡刺激をする必要がでてくる。ただ、浴槽用の気泡装置は、浴槽内に入浴した状態で、すなわち温水で体を熱刺激する状態で、気泡で刺激するので、強い熱刺激を受けながら気泡刺激を受けることになる。このため、長時間にわたって気泡刺激をすればリクラゼーション効果を高くできるとしても、長時間の熱刺激に耐えられなくなって使用を中断せざるをえなくなってしまう。すなわち、マッサージ機のように長時間にわたって使用することができず、十分なリクラゼーション効果が得ることができない。
【０００４】
本発明は、このような欠点を解決することを目的に開発されたものである。本発明の重要な目的は、短時間で、より効果的にリクラゼーションできる浴槽用の気泡装置を提供することにある。
【課題を解決するための手段】
【０００５】
本発明の浴槽用の気泡装置は、浴槽４内に気泡を噴射する気泡噴射部１と、この気泡噴射部１に連結されて気泡噴射部１に空気を供給する気泡供給部２と、この気泡供給部２が気泡噴射部１に供給する空気量を制御する制御部３とを備える。制御部３は、気泡供給部２から気泡噴射部１に供給する空気量を時間とともに変更して、気泡噴射部１が浴槽４内に噴射する気泡量を変更するパターンを記憶する記憶部を備えている。制御部３は、記憶部に記憶している特定の繰返パターンで、気泡噴射部１が浴槽４内に噴射する気泡噴射状態における気泡量を繰り返し変更する。制御部３は、ひとつの繰返パターンにおいては、複数回の気泡噴射状態で気泡を噴射すると共に、ひとつの繰返パターンにおける複数回の気泡噴射状態は、次第に気泡の噴射量を少なくして、最初に最大量の気泡を噴射して、最後には最小量の気泡を噴射するように制御している。
【０００６】
本発明の浴槽用の気泡装置は、ひとつの繰返パターンにおいて、複数回の気泡噴射状態の間に中間状態を設けて、この中間状態を、気泡の噴射を一時的に停止する停止状態、あるいは、気泡の噴射を前後の気泡噴射状態よりも少なくする弱噴射状態として、気泡噴射状態と中間状態とを交互に繰り返すことができる。この中間状態は、気泡噴射状態よりも短時間とすることができる。。
【０００７】
さらに、本発明の浴槽用の気泡装置は、ひとつの繰返パターンにおける複数回の気泡噴射状態を、気泡を最も多く噴射する最大噴射状態と、最大噴射状態よりも少量の気泡を噴射する中間噴射状態と、この中間噴射状態よりもさらに少量の気泡を噴射する最小噴射状態とすることができる。
【０００８】
複数回の気泡噴射状態からなるひとつの繰返パターンの時間は、２〜５分とすることができる。ひとつの気泡噴射状態の時間は、３０秒〜１．５分とすることができる。さらに、ひとつの繰返パターンは、３回以上の気泡噴射状態を含むことができる。さらにまた、本発明の気泡装置は、繰返パターンの間に、気泡の噴射を停止する休止状態を設けることができる。この休止状態を中間状態よりも短時間とし、あるいは長時間とすることができる。
【０００９】
本発明の気泡装置は、気泡供給部２が、気泡噴射部１に空気を供給するファン６と、このファン６を回転させるモーター７とを備えて、制御部３がファン６の回転速度を制御して、気泡噴射部１に供給する空気量を制御することができる。このモーター７は、反発モーターとすることができる。
【００１０】
さらに、本発明の気泡装置は、気泡供給部２が、気泡噴射部１に加圧された温水を供給するポンプを備えると共に、気泡噴射部１が、ポンプで供給される加圧水の流路に連結されて空気を吸入する空気管を備えることができる。
【発明の効果】
【００１１】
本発明の浴槽用の気泡装置は、短時間でより効果的にリクラゼーションできる特長がある。本発明の気泡装置で入浴者がいかにリクラゼーションできたかどうかは、入浴者の脳波を測定して判別できる。入浴者がリクラゼーションすると、脳波の周波数分布が変化して周波数の低いα波が多くなると共に、このα波のエネルギーが弱くなる。したがって、α波のエネルギーを示すα波を積分した積分α波値を測定してリクラゼーションの程度を検出できる。リクラゼーションするとα波のエネルギーが弱くなるので、積分α波値は低下する。
【００１２】
図１１は、入浴者の積分α波値が低下する状態を示すグラフである。ただし、積分α波値は、入浴前の状態を１００として相対値を示す。この図の実線の矢印は、本発明の気泡装置の入浴者の積分α波値が低下する状態を示し、鎖線の矢印は気泡の強度を低下させない従来の気泡装置の入浴者の積分α波値が低下する状態を示す。ただし、本発明の気泡装置は、浴槽内の温度を４０℃、ひとつの繰返パターンにおける気泡噴射状態を、最大噴射状態と中間噴射状態と最小噴射状態とし、最大噴射状態と中間噴射状態の時間を５５秒、最後の最小噴射状態の時間を５０秒、気泡噴射状態の中間の停止状態と休止状態を１０秒として、繰返パターンを３回繰り返すまで入浴する。気泡の強度を変化させない従来の気泡装置は、中間噴射状態と同じ強度で気泡を噴射する。入浴時間はいずれも９分２０秒とする。
【００１３】
図１１は、２人の入浴者の積分α波値が低下する状態を示している。本発明の気泡装置に入浴した入浴者Ａの積分α波値は、入浴前の２５％と約１／４まで低下し、入浴者Ｂの積分α波値は、入浴前の２１％と１／５に低下する。これに対して、従来の気泡の強度を低下させない気泡装置に入浴した入浴者Ａは、積分α波値が入浴後もほとんど低下せず、入浴者Ｂは入浴後に４７％に低下する。
以上のように、本発明の気泡装置は、繰り返し気泡の噴射状態を変更する状態で刺激を与えることにより、短時間でより効果的にリクラゼーションできることがわかる。
【００１４】
さらに、本発明の気泡装置は、同じパターンの繰返パターンで繰り返して気泡を噴射するので、繰返パターンの途中から入浴し、また入浴時間を変更して、入浴時における繰返パターンの回数を変更して、入浴者の積分α波値を測定すると、１回の繰返パターン（３分入浴）では入浴者Ａの積分α波値は入浴前の約５５％まで低下し、２回の繰返パターン（６分１０秒入浴）では入浴前の約３５％に低下する。ちなみに、気泡の噴射状態を変更しない従来の装置では、入浴者Ａの積分α波値は、３分ないし６分入浴してほとんど低下しない。入浴者Ｂは同じ条件で１回の繰返パターンでは積分α波値が約４５％、２回の繰返パターンでは約２５％に低下して相当にリクラゼーションされる。また、入浴者Ｂは気泡を変化させいない従来の装置では、３分後に７５％、６分後に５５％となり、本発明の装置に比較してリクラゼーション効果が相当に低下する。
【００１５】
したがって、本発明の気泡装置は、繰返パターンの途中から入浴して、あるいは途中で出ても効果的にリクラゼーションできる特長がある。このため、家庭用の大きな浴槽や公衆浴場のように、多数の入浴者がランダム入浴する状態においても、全ての入浴者を効果的にリクラゼーションできる特長がある。また、本発明の気泡装置は、温水で熱刺激しながら気泡で刺激するので、湯温を調整してさらに効果的にリクラゼーションすることもでき、また、全身を温水で連続して熱刺激しながら、気泡の噴射を変更して快適にリクラゼーションすることができる。
【発明を実施するための最良の形態】
【００１６】
以下、本発明の実施例を図面に基づいて説明する。ただし、以下に示す実施例は、本発明の技術思想を具体化するための浴槽用の気泡装置を例示するものであって、本発明は気泡装置を以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１に示す浴槽用の気泡装置は、浴槽４内に気泡を噴射する気泡噴射部１と、この気泡噴射部１に連結されて気泡噴射部１に空気を供給する気泡供給部２と、この気泡供給部２が気泡噴射部１に供給する空気量を制御する制御部３とを備える。
【００１９】
気泡噴射部１は、上面に微細な無数の噴射孔を開口している噴気盤５である。この噴気盤５は、無機質材を多孔質な状態に焼結して製造される。噴気盤５である気泡噴射部１は、内部に加圧空気を供給する中空部を設けて、底面を閉塞している。この噴気盤５は、中空部に供給される加圧空気を上面の微細な噴射孔から噴射する。噴射された空気は、浴槽４内の温水に無数の気泡となって噴射される。気泡噴射部は、必ずしも無機質材を焼結して製作する必要はない。金属やプラスチックで製作することもできる。この気泡噴射部は、内部に中空部を設け、この中空部に連結して上面に微細な孔を開けた構造とする。気泡噴射部１は、浴槽４の底面に吸盤（図示せず）で固定され、あるいは自重で浴槽４の底に沈んで固定される。
【００２０】
気泡供給部２は、図２ないし図４に示すように、気泡噴射部１に空気を供給するファン６と、このファン６を回転させるモーター７とを備えている。ファン６は、モーター７で回転されるインペラを有するターボ形の遠心ファンである。遠心ファンは、インペラを高速回転させて、風量を多くして吐出圧を高くできる。遠心ファンを駆動するモーター７は、高速回転できるブラシ付の反発モーターである。反発モーターは、インダクションモーターや同期モーターのように、回転速度が電源の周波数に同期せず、高速回転できる。また、反発モーターは、交流で駆動できると共に、電源に同期しないで回転するので、供給電圧で回転速度を大幅に変更できる。したがって、反発モーターは、極めて簡単な回路で回転速度を自由に変更できる特長がある。気泡供給部２は、必ずしもターボ形の遠心ファンを反発モーターで駆動する構造とする必要はなく、加圧した空気を気泡噴射部に供給できる全ての機構、たとえば定容積形の送風機や圧縮機も使用できる。
【００２１】
制御部３は、気泡供給部２から気泡噴射部１に供給する空気量を時間とともに変更して、気泡噴射部１が浴槽４内に噴射する気泡量を変更するパターンを記憶する記憶部を備えている。制御部３は、モーター７の回転速度を制御して、気泡噴射部１に供給する空気量を制御する。
【００２２】
制御部３がモーター７の回転速度を変更する回路を図２ないし図４に示す。図２の制御部３は、モーター７に供給する電圧を変更するトランス９と、このトランス９の出力電圧を切り換える制御回路８と、この制御回路８に制御されてモーター７の供給電圧を変更する切換スイッチ１０とを備える。図の切換スイッチ１０はリレーであるが、この切換スイッチ１０にはトランジスターやＦＥＴ等の半導体スイッチング素子１２も使用できる。トランス９は、二次側に出力電圧が異なる複数の出力端子１１を有する。図はモーター７の回転速度を３段階に変更するので、出力電圧が異なる３つの出力端子１１を設けている。各々の出力端子１１は、切換スイッチ１０を介してモーター７に接続している。制御回路８は、いずれかひとつの切換スイッチ１０をオン、他の全ての切換スイッチ１０をオフにして、トランス９のひとつの出力端子１１をモーター７に接続する。制御回路８が、モーター７に接続する切換スイッチ１０を切り換えて、モーター７の供給電圧を変更する。切換スイッチ１０が、出力電圧の高い出力端子１１をモーター７に接続するとモーター７の回転速度は速くなる。切換スイッチ１０が、出力電圧の低い出力端子１１をモーター７に接続すると、モーター７の回転速度は遅くなる。
【００２３】
図３の制御部３は、モーター７に供給する電圧を変更するスイッチング素子１２と、このスイッチング素子１２を所定のデューティーでオンオフに切り換える制御回路８とを備える。図のスイッチング素子１２はトランジスターであるが、スイッチング素子にはＦＥＴも使用できる。スイッチング素子１２は、オンオフに切り換えられるデューティーで、モーター７の供給電圧を制御する。デューティーが大きくなって、オフ時間に対するオン時間が長くなると、モーター７に供給される平均電圧は高くなる。反対にオフ時間に対するオン時間が短くなると、モーター７に供給される平均電圧は低くなる。制御回路８は、スイッチング素子１２をオンオフに切り換えるデューティーを制御して、モーター７の供給電圧をコントロールする。制御回路８がスイッチング素子１２のデューティーを大きくすると、モーター７の供給電圧は高くなり、デューティーを小さくするとモーター７の供給電圧は低くなる。
【００２４】
図４の制御部３は、モーター７に供給する電圧を変更する電気抵抗が異なる複数の抵抗器１３と、この抵抗器１３の出力側をモーター７に制御する切換スイッチ１４と、切換スイッチ１４を制御する制御回路８とを備える。図の切換スイッチ１４はリレーであるが、リレーに代わって、トランジスターやＦＥＴも使用できる。各々の抵抗器１３は切換スイッチ１４を直列に接続している。抵抗器１３と切換スイッチ１４との直列接続回路は、並列に接続している。図の制御部３は、モーター７の回転速度を３段階に変更するので、電気抵抗が異なる３つの抵抗器１３を備える。ただし、ひとつの抵抗器１３は電気抵抗を０Ωとして、モーター７を最高回転させる。制御回路８は、いずれかひとつの切換スイッチ１４をオン、他の全ての切換スイッチ１４をオフにして、ひとつの抵抗器１３をモーター７に接続する。制御回路８が、モーター７に接続する抵抗器１３を切り換えて、すなわち、モーター７に接続する抵抗器１３の電気抵抗を変更して、モーター７の供給電圧を変更する。切換スイッチ１４が、電気抵抗の小さい抵抗器１３をモーター７に接続するとモーター７の回転速度は速くなる。切換スイッチ１４が、電気抵抗の大きい抵抗器１３をモーター７に接続すると、モーター７の回転速度は遅くなる。
【００２５】
さらに、制御部３はモーター７の回転速度を変更することなく、図５に示すように、空気源１５と気泡噴射部１との間に空気量を制限する流量調整弁１６を接続して、気泡の噴射量を制御することもできる。この制御部３は、流量調整弁１６と開閉弁１７とを直列に連結し、さらに、直列に接続した３回路を並列に連結している。３つの流量調整弁１６は、通過させる空気量が異なるように調整されている。この制御部３は、制御回路８がいずれかの開閉弁１７を開弁して、気泡噴射部１に供給する空気量を制御する。
【００２６】
制御部３は、記憶部に記憶している特定の繰返パターンで、気泡噴射部１が浴槽４内に噴射する気泡量を繰り返し変更する。図６は、記憶部に記憶されるパターンを示している。このパターンは、ひとつの繰返パターンにおいては、気泡噴射部１が浴槽４内に気泡を噴射する複数回の気泡噴射状態と、この気泡噴射状態の間に設けた中間状態とを交互に繰り返している。図６のパターンにおいて、気泡噴射状態の間に設けた中間状態は、気泡の噴射を一時的に停止する停止状態である。さらに、ひとつの繰返パターンにおいて、複数回の気泡噴射状態で気泡を噴射すると共に、ひとつの繰返パターンにおける複数回の気泡噴射状態は、次第に気泡の噴射量を少なくして、最初に最大量の気泡を噴射して、最後には最小量の気泡を噴射する。
【００２７】
ただ、記憶部に記憶されるパターンは、図７に示すように、中間状態を、前後の気泡噴射状態よりも少量の気泡を噴射する弱噴射状態とすることもできる。さらに、記憶部に記憶されるパターンは、図示しないが、複数回の気泡噴射状態の間には、必ずしも中間状態を設ける必要はなく、噴射量が次第に減少する複数回の気泡噴射状態で連続して噴射することもできる。
【００２８】
図６のパターンは、ひとつの繰返パターンにおける複数の気泡噴射状態を、気泡を最も多く噴射する最大噴射状態と、最大噴射状態よりも少量の気泡を噴射する中間噴射状態と、この中間噴射状態よりもさらに少量の気泡を噴射する最小噴射状態とからなる３回の気泡噴射状態としている。この図のパターンは、ひとつの繰返パターンを３分間とし、繰返パターンにおいては気泡噴射状態の間に１０秒間の停止状態を設けている。最大噴射状態と中間噴射状態は５５秒、最後の最小噴射状態は５０秒としている。さらに、繰返パターンと繰返パターンとの間には１０秒間の休止状態を設けている。
【００２９】
図のパターンは、ひとつの繰返パターンに３回の気泡噴射状態を設けているが、４回以上の気泡噴射状態を設けることもできる。ひとつの繰返パターンにおいて、複数の気泡噴射状態を設ける状態にあっても、気泡噴射状態は時間が経過するにしたがって気泡の噴射量を少なくして刺激を弱くする。気泡の噴射量を少なくする程度は、最初の最大噴射状態の気泡噴射量に対して、最後の最小噴射状態における気泡噴射量が約５０％となるようにする。ただし、最大噴射状態の気泡噴射量に対する最小噴射状態の気泡噴射量は、２０〜６０％とすることもできる。
【００３０】
さらに、気泡装置は、ひとつの繰返パターンにおける平均噴射量を変更することもできる。この気泡装置は、たとえば、図８の一点鎖線で示すように、ひとつの繰返パターンにおける各気泡噴射状態での噴射量を全体的に大きくし、あるいは二点鎖線で示すように、全体的に小さくする。この気泡装置は、ユーザーが操作して全体の噴射強度を調整できる構造とすると、ユーザーに合った噴射強度に調整して便利に使用できる特長がある。このことを実現するために、制御部３は、モーター７に供給する電圧を制御して、気泡供給部２から気泡噴射部１に供給される空気量を制御する。たとえば、図２や図４に示す回路においては、モーター７と直列に抵抗器１８を接続して、この抵抗器１８の抵抗値を変更してモーター７に供給される電圧を調整する。また、図３に示す回路においては、制御回路８がスイッチング素子１２をスイッチングするデューティーを調整してモーター７に供給される電圧を調整する。全体の噴射強度は、段階的に変化させることも、直線的に変化させることもできる。
【００３１】
ひとつの繰返パターンの時間は、２〜５分とすることもでき、繰返パターンにおけるひとつの気泡噴射状態の時間は、３０秒〜１．５分とすることができる。さらにまた、中間状態と休止状態は、気泡噴射状態よりも短時間とするのがよく、たとえば、中間状態と休止状態は３〜２０秒とすることができる。気泡による刺激は、連続して長い時間にわたって心地よくできるので、中間状態や休止状態を短く、気泡噴射状態を長くしてリクラゼーション効果を向上できるからである。
【００３２】
以上の気泡装置は、空気を気泡噴射部１に供給して浴槽４内に気泡を噴射するが、ポンプで浴槽内に温水を噴射して、温水と一緒に気泡を噴射することもできる。ポンプで浴槽内に温水を噴射する気泡装置を図９と図１０に示す。
【００３３】
図９に示す気泡装置は、気泡供給部２が、気泡噴射部１に加圧された温水を供給するポンプ２２を備える。この気泡供給部２は、浴槽４の貫通孔２１に循環路２０を連結しており、循環路２０の途中に、温水を強制的に循環させるポンプ２２を連結している。さらに、気泡装置は、ポンプ２２の排出側の循環路２０が連結される貫通孔２１であって、循環される温水の噴出側の貫通孔２１に、浴槽１に気泡を噴射する気泡噴射部１を配設している。図示しないが、気泡装置は、循環路に、循環温水を清澄に保持する清澄濾過材と、温水を一定の温度に加熱する加熱手段とを連結することもできる。さらに、浴槽の吸入側の貫通孔には、吸入する温水中の塵や毛等を除去する湯口部材を連結することもできる。
【００３４】
ポンプ２２は、浴槽４内の温水を循環路２０に強制的に循環させる。ポンプ２２は、気泡を噴射するときに運転される。ただ、循環路に清澄濾過材や加熱手段が連結され気泡装置のポンプは、気泡装置の使用に関係なく連続運転することができる。
【００３５】
気泡噴射部１は、図１０に示すように、浴槽４の貫通孔２１に連結される湯口部材２３を備える。浴槽４に気泡を噴射する湯口部材２３は、噴射する温水に空気を混入するエジェクター２４を設けている。エジェクター２４は、温水を高速流動させるために、内径を小さくしている。エジェクター２４の外側には空気路２５を設けている。空気路２５は、温水の逆流を阻止する逆止弁２６を内蔵している。逆止弁２６は、空気路２５に内蔵されて温水に浮く球である。噴射口２７から温水が噴射されると、空気が吸入されて、空気を混入した温水が噴射口２７から噴射される。空気路２５は空気を吸入するための空気管２８を連結している。空気管２８は、先端を浴槽４の外部に配設して空気を吸入させる。空気管２８から吸入される空気は温水と一緒に噴射されて、気泡となって噴射される。
【００３６】
図９の気泡装置も、気泡供給部２が気泡噴射部１に供給する空気量を制御部３で制御する。制御部３は、制御回路８でポンプ２２の運転を制御し、あるいは、空気管２８からエジェクター２４に供給される空気量を調整して気泡噴射部１から噴射される空気量を制御する。さらに、気泡供給部は、図示しないが、循環路に図５と同様の並列回路を設けて、各回路に温水の流量を制限する流量調整弁と開閉弁とを接続して、気泡の噴射量を制御することもできる。この制御部も、各流量調整弁を、通過する温水量が異なるように調整して、気泡噴射部に供給する温水量を制御する。
【図面の簡単な説明】
【００３７】
【図１】本発明の一実施例にかかる浴槽用の気泡装置の概略構成図である。
【図２】制御部の一例を示す回路図である。
【図３】制御部の他の一例を示す回路図である。
【図４】制御部の他の一例を示す回路図である。
【図５】制御部の他の一例を示す回路図である。
【図６】記憶部に記憶されるパターンの一例を示すグラフである。
【図７】記憶部に記憶されるパターンの他の一例を示すグラフである。
【図８】繰返パターンにおける噴射強度を変化させる状態を示すグラフである。
【図９】本発明の他の実施例にかかる浴槽用の気泡装置の概略構成図である。
【図１０】図９に示す気泡装置の気泡噴射部の拡大断面図である。
【図１１】入浴者の積分α波値が低下する状態を示すグラフである。
【符号の説明】
【００３８】
１…気泡噴射部
２…気泡供給部
３…制御部
４…浴槽
５…噴気盤
６…ファン
７…モーター
８…制御回路
９…トランス
１０…切換スイッチ
１１…出力端子
１２…スイッチング素子
１３…抵抗器
１４…切換スイッチ
１５…空気源
１６…流量調整弁
１７…開閉弁
１８…抵抗器
２０…循環路
２１…貫通孔
２２…ポンプ
２３…湯口部材
２４…エジェクター
２５…空気路
２６…逆止弁
２７…噴射口
２８…空気管
【図１】
2005124935.tif 000003
【図２】
2005124935.tif 000004
【図３】
2005124935.tif 000005
【図４】
2005124935.tif 000006
【図５】
2005124935.tif 000007
【図６】
2005124935.tif 000008
【図７】
2005124935.tif 000009
【図８】
2005124935.tif 000010
【図９】
2005124935.tif 000011
【図１０】
2005124935.tif 000012
【図１１】
2005124935.tif 000013